(57)【要約】  【課題】  非使用時に容易に分解可能で梱包や収納のスペースが少なく、構成部品が単純で構造が簡単な渦巻線香の保持台を提供しようとする。  【解決手段】  、渦巻線香を装着して保持するためのものであって、上方に開口し側壁と底板とを備え渦巻線香の灰を収容する受皿容器と、渦巻線香を係留する係留部と該側壁に着脱自在に係合する係合部とを備える線香係留パーツとを含んでなり、前記係留部が渦巻線香の中央部を下方から支える支持部と、該支持部材で支えた渦巻線香の垂れ下がり部を支える一対の傾斜ガイドとを備えてなり、該傾斜ガイドの上端が前記支持部に連接され、少なくとも一方の前記傾斜ガイドの下端が前記係合部に連接された組立て式渦巻線香保持台である。  【選択図】  図１
2006020948.tif 000002
【特許請求の範囲】
【請求項１】
渦巻線香を装着して保持するためのものであって、
上方に開口し、側壁と底板とを備え、渦巻線香の灰を収容する受皿容器と、
渦巻線香を係留する係留部と該側壁に着脱自在に係合する係合部とを備える線香係留パーツと
を含んでなる組立て式渦巻線香保持台。
【請求項２】
前記係留部が
渦巻線香の中央部を下方から支える支持部と、
該支持部材で支えた渦巻線香の垂れ下がり部を支える一対の傾斜ガイドと
を備えてなり、
該傾斜ガイドの上端が前記支持部に連接され、少なくとも一方の前記傾斜ガイドの下端が前記係合部に連接された請求項１に記載の組立て式渦巻線香保持台。
【請求項３】
前記線香係留パーツが一対の帯部材を含んでなり、各該帯部材の先端部に一対の該先端部を互いに着脱自在に係合保持する係合保持手段を備え、該係合保持手段を介して該先端部同士が係合保持されて前記支持部を構成し、
前記帯部材の他端部に前記係合部が設けられ、
前記先端部と該他端部との間の部分が前記傾斜ガイドの基板を構成する請求項２に記載の組立て式渦巻線香保持台。
【請求項４】
各前記帯部材が前記他端部で二つ折りに折り曲げられて折り曲り部を形成し該折り曲り部の内側に前記側壁が嵌入されるようになして前記係合部を構成する請求項３に記載の組立て式渦巻線香保持台。
【請求項５】
各前記先端部が前記帯部材の幅方向に沿った折り目で鈍角に折り曲げられ、前記係合保持手段が、該折り目に沿って形成された切り目である請求項３又は４に記載の組立て式渦巻線香保持台。
【発明の詳細な説明】
【技術分野】
【０００１】
本発明は、仏事等に用いる渦巻線香を保持するための保持台に関する。
【背景技術】
【０００２】
従来、線香が平板渦巻状に成形された渦巻線香は、その中心部に予め取り付けられた糸の輪を、専用の吊り台の持出フックに引っ掛け、これを吊り下げて使用するのが一般的である（例えば、特許文献１、特許文献２参照）。こうして吊り下げられた渦巻線香は、自重によって釣鐘状に垂れ下がり、この垂れ下がった渦巻線香の外側下端部に点火して仏事等に使用する。
【０００３】
ところが、従来の吊り台は、渦巻線香の中心部に取り付けた糸を指先で摘みながら、その輪を広げてフックに引っ掛ける必要があり、指先による細かい作業とならざるを得ず、渦巻線香をセットする際に渦巻線香を途中で折ってしまうこともあった。
【０００４】
なお、渦巻線香を吊り下げることなく他の方法で保持する線香台として、受皿にポールを立設し、ポールの先端に渦巻線香を被せて釣鐘状にセットするものが提案されている（例えば、特許文献３参照）。しかしながら、この線香台は渦巻線香の中央部を単にポール先端に載置するだけであったので、風等の一寸した外力や振動により簡単に渦巻線香が落下してしまう難点があった。渦巻線香の燃焼が進んで渦巻線香がより短く、軽くなるほど、落下し易かった。
【０００５】
これら問題を解決するものとして、支持基台と、該支持基台に立設された支柱と、該支柱の先端に設けられ、渦巻線香の中央部を下方から支える支持部材と、該支持部材又は支柱に固定され、該支持部材で支えた渦巻線香の垂れ下がり部を支える傾斜ガイドとを含む渦巻線香保持台が開示されている（例えば、特許文献４参照。）が、嵩高で大きな梱包箱を必要としたり、非使用時に大きな収納スペースを要すという問題がある。又、構成部品が多くて構造が複雑で製造コストが高い。
【特許文献１】実開平４−６４２８３号公報
【特許文献２】実開平６−７９３７８号公報
【特許文献３】実開昭６０−８６１８４号公報
【特許文献４】特開２００４−１６００４０号公報
【発明の開示】
【発明が解決しようとする課題】
【０００６】
本発明は、従来の吊り下げ式の渦巻線香台に上記のような問題があったことに鑑みて為されたもので、非使用時に容易に分解可能で梱包や収納のスペースが少なく、構成部品が単純で構造が簡単な渦巻線香の保持台を提供することにある。
【課題を解決するための手段】
【０００７】
本発明の要旨とするところは、渦巻線香を装着して保持するためのものであって、
上方に開口し、側壁と底板とを備え、渦巻線香の灰を収容する受皿容器と、
渦巻線香を係留する係留部と該側壁に着脱自在に係合する係合部とを備える線香係留パーツと
を含んでなる組立て式渦巻線香保持台であることにある。
【０００８】
前記組立て式渦巻線香保持台においては、
前記係留部が
渦巻線香の中央部を下方から支える支持部と、
該支持部材で支えた渦巻線香の垂れ下がり部を支える一対の傾斜ガイドと
を備えてなり得、
該傾斜ガイドの上端が前記支持部に連接され、少なくとも一方の前記傾斜ガイドの下端が前記係合部に連接され得る。
【０００９】
前記組立て式渦巻線香保持台においては、前記線香係留パーツが一対の帯部材を含んでなり得、各該帯部材の先端部に一対の該先端部を互いに着脱自在に係合保持する係合保持手段を備え得、該係合保持手段を介して該先端部同士が係合保持されて前記支持部を構成し得、
前記帯部材の他端部に前記係合部が設けられ得、
前記先端部と該他端部との間の部分が前記傾斜ガイドの基板を構成し得る。
【００１０】
前記組立て式渦巻線香保持台においては、各前記帯部材が前記他端部で二つ折りに折り曲げられて折り曲り部を形成し該折り曲り部の内側に前記側壁が嵌入されるようになして前記係合部を構成し得る。
【００１１】
前記組立て式渦巻線香保持台においては、各前記先端部が前記帯部材の幅方向に沿った折り目で鈍角に折り曲げられ得、前記係合保持手段が、該折り目に沿って形成された切り目であり得る。
【００１２】
前記組立て式渦巻線香保持台においては、前記線香係留パーツが１の帯状部材で構成され得、前記支持部が該帯状部材を長手方向の略中央部で二つ折りに折りたたんだ部分からなり得、前記係合部が、該帯状部材の少なくとも一の端部に設けられ、前記帯状部材の該一の端部と前記二つ折りに折りたたんだ部分との間の部分及び該帯状部材の他の端部と前記二つ折りに折りたたんだ部分との間の部分とが、前記傾斜ガイドの基板を構成し得る。
【００１３】
前記組立て式渦巻線香保持台においては、前記係合部が、前記帯状部材の前記一の端部及び／又は前記他の端部で前記帯状部材を二つ折りに折り曲げて形成された折り曲り部からなり得、該折り曲り部の内側に前記側壁が嵌入されるようになされ得る。
【発明の効果】
【００１４】
本発明によると、非使用時に容易に分解可能で梱包や収納のスペースが少なく、かつ構成部品の構造が単純な渦巻線香の保持台が提供される。
【発明を実施するための最良の形態】
【００１５】
本発明の組立て式渦巻線香保持台の実施形態について、図面を使用して説明する。なお、本明細書においては、各図にわたって記される同じ符号は同一又は同様の部材やものを示す。図１に示すように、本発明の組立て式渦巻線香保持台２は、上方に開口し、側壁８と底板１２とを備えた受皿容器４と、線香係留パーツ６とを備える。線香係留パーツ６は渦巻線香１０を係留する係留部１４と側壁８に着脱自在に係合する係合部１５とから構成される。受皿容器４は渦巻線香１０の灰を収容する。底板１２の中央部には必須のものではないが抜き穴１９が形成されている。
【００１６】
係留部１４は、渦巻線香の中央部を下方から支える支持部１６と、支持部１６で支えた渦巻線香の垂れ下がり部を支える一対の傾斜ガイド１８とを備えてなる。渦巻線香１０の中心部の通孔１１に支持部１６の先端が差し込まれる。
【００１７】
線香係留パーツ６は一対の帯部材２０、２０を含んでなり、各帯部材２０の先端部２２に一対のその先端部２２を互いに着脱自在に係合保持する係合保持手段２４を備え、係合保持手段２４を介して先端部２２同士が係合保持されて支持部１６を構成する。
【００１８】
一方、帯部材２０の他端部２５に係合部１５が設けられている。先端部２２と他端部２５との間の部分２８が傾斜ガイド１８の基板３０を構成する。
【００１９】
又、先端部２２が帯部材２０の幅方向に沿った折り目３４で鈍角に折り曲げられ、係合保持手段２４が、折り目３４に沿って形成された切り目３６から成る。一対の切り目３６同士が互いに相手の帯部材２０の折り目３４の部分を噛み込ませて一対の先端部２２、２２同士が係合保持される。又、先端部２２は、略三角形状に先端が尖った形に切り残され、２等辺片三角形の底辺の下に四角形が連接した形状となっている。先端部２２の形状は、通孔１１に支持部１６の先端を差し込んで渦巻線香の中央部を下方から支えられる機能を満たす形状であればこの形状に限定されない。例えば、２等辺三角形、不等辺三角形、逆Ｔ字形、細幅の台形等の形状であってもよい。
【００２０】
他方、各帯部材２０が他端部２５で二つ折りに折り曲げられて折り曲り部４４を形成し係合部１５を構成する。折り曲り部４４の内側に側壁８の上縁部が嵌入される。
【００２１】
図２に帯部材２０の構造を示す。先端部２２と他端部２５との間の部分３７が傾斜ガイド１８の基板４０を構成する。基板４０の上面には、無機繊維の不織布から成る断熱板４２が取り付けられている。本実施形態では、無機繊維としてセラミックファイバーを採用しているが、他にロックウール、ガラスファイバー等を用いることもできる。無機繊維の不織布は十分な空気流通路を備えているので、渦巻線香１０の燃焼部が断熱板４２に接触しても、燃焼部には十分な空気が供給される。そして、燃焼部の熱が断熱板４２により奪われることも殆どないため、渦巻線香１０の燃焼が絶たれることもない。
【００２２】
図３に組立て式渦巻線香保持台２における支持部の態様の他の一例を示す。図３においては、一方の帯部材２０−１の先端縁に帯部材２０−１の長手方向に突出する突起６２が形成され、他方の帯部材２０−２の先端部に尖状部６４が形成されている。尖状部６４の根元に形成された孔６６に突起６２を挿入して帯部材２０−１と帯部材２０−２とが互いに係合保持され、支持部１５ｃが構成される。突起６２と孔６６とで係合保持手段２４ａが構成される。
【００２３】
しかして、図１などに示される本発明の組立て式渦巻線香保持台２においては、渦巻線香１０の中心部の通孔１１に支持部１６の先端を差し込むように渦巻線香１０を被せれば、図１に示すように、支持部１６が渦巻線香１０の中央部を下方から支えるとともに、傾斜ガイド１８が渦巻線香１０の垂れ下がり部を支えて渦巻線香１０が安定的に保持されるのである。
【００２４】
このように、組立て式渦巻線香保持台２は、渦巻線香１０を上方から被せるだけの頗る簡単な操作で渦巻線香１０をセットすることができるので、従来の線香吊り下げ台のように、指先の細かい作業は全く必要でなく、セットする際に誤って渦巻線香を折ってしまうようなこともない。
【００２５】
また、組立て式渦巻線香保持台２では、支持部１６によって渦巻線香１０の中央部を支えるとともに、傾斜ガイド１８によって渦巻線香１０の垂れ下がり部を支えるので、セットした渦巻線香を頗る安定的に保持することができる。しかも、支持部１６の先端を渦巻線香１０の通孔１１内に挿入した状態で、渦巻線香１０の中央部を支えるので、風等の外力や振動によって簡単に渦巻線香１０が落下するようなこともなく、渦巻線香１０の燃焼が進んで短く、軽くなったときでも、渦巻線香１０を安定的に保持することができる。
【００２６】
更に、組立て式渦巻線香保持台２は使用後に線香係留パーツ６を受皿容器４から簡単にはずすことが出来る。又、使用するときに、線香係留パーツ６を受皿容器４に簡単に装着することが出来る。又更に、線香係留パーツ６は、一対の帯部材２０に簡単に分解したり、一対の帯部材２０から簡単に復元できる。分解された一対の帯部材２０は、受皿容器４の内部に収納できるサイズとなっており、受皿容器４の内部に分解された一対の帯部材２０を収納して少ないスペースに格納したり、小さなサイズに梱包出来る。
【００２７】
本発明の他の態様の一例を図４（ａ）の縦断面模式図に示す。図４に示す組立て式渦巻線香保持台２ａは、受皿容器４と図４（ｂ）にも示す線香係留パーツ６ａを含んでなる。線香係留パーツ６ａは１本の帯状部材５０を含んで構成される。支持部１６ａは帯状部材５０を長手方向の略中央部で二つ折りに折りたたんだ部分５２からなる。係合部１５ａは帯状部材５０の両端部それぞれに設けられ、図１に示す態様における係合部１５と同様の形状である。二つ折りに折りたたんだ部分５２と係合部１５ａ部分の間の部分３６ａが傾斜ガイド１８ａの基板４０ａを構成する。
【００２８】
図５に、帯状部材５０を部分的に弾性的に撓ませて線香係留パーツ６ａを受皿容器４に収納した状態を示す。
【００２９】
本発明の更に他の態様の一例を図６の縦断面模式図に示す。図６に示す組立て式渦巻線香保持台２ｂは、受皿容器４と線香係留パーツ６ｂを含んでなる。線香係留パーツ６ｂは１本の帯状部材５０を含んで構成される。支持部１６ａは帯状部材５０を長手方向の略中央部で二つ折りに折りたたんだ部分５２からなる。係合部１５ａは帯状部材５０の片側の端部に設けられ、図１に示す態様における係合部１５と同様の形状である。二つ折りに折りたたんだ部分５２と係合部１５ａ部分の間の部分３６ａが傾斜ガイド１８ａの基板４０ａを構成する。帯状部材５０の他方の端部６６は折られて底板１２の内底面に面状に当接して載置される。
【００３０】
本発明の組立て式渦巻線香保持台に用いられる線香係留パーツの更に他の態様の一例を図７、図８に示す。図７に示す２連帯部材７０を折り目７２と折り目７４とで折り曲げて図８に示す線香係留パーツ６ｃが得られる。２連帯部材７０は、帯部材２０ａと、帯部材２０ｂとが、略三角形状に先端が尖った形に切り残されてなる先端部２２の根元で連接部７６を介して連接されて構成される。帯部材２０ａと、帯部材２０ｂとで略八の字が形成されるように折り目７４を鈍角に折り曲げて図８に示す線香係留パーツ６ｃが得られる。
【００３１】
図９に示すように、略三角形状に先端が尖った形の先端部２２は帯部材２０ａと帯部材２０ｂのいずれか一方に設けられていてもよい。
【００３２】
図１０に渦巻線香の中央部を下方から支える支持部の態様の他の一例を示す。図１０（ａ）に示すように、帯状部材５０ｃの長手方向にみた中央部かつ幅方向にみた中央部に作られた切れ目（線状に打ち抜かれた個所）５４が形成され、切れ目５４によって形成された尖状部５６により得られる。切れ目５４は帯状部材５０ｃの縁に達することなく帯状部材５０ｃに形成されている。図１０（ｂ）に示すように、帯状部材５０ｃを切れ目５４の両端で帯状部材５０ｃの幅方向に沿う折り目５８で折り、尖状部５６を立てて起こすことにより支持部１６ｂが形成される。
【００３３】
図１１に渦巻線香の中央部を下方から支える支持部の態様の更に他の一例を示す。図１１（ａ）に示すように、逆Ｖ字状の帯状部材５０ｄの長手方向にみた中央部に折り目７９が形成され、図１１（ｂ）に示すように、折り目７９で重ね折りされた尖状部５６ｄにより支持部１６ｄが形成される。
【００３４】
図１２に本発明の組立て式渦巻線香保持台における係合部の他の態様の一例を示す。係合部１５ｂは、帯部材又は帯状部材の一端部に１又は複数本の切れ目５８を形成することにより得られる。図１２（ａ）に示すように、切れ目５８は、帯部材２０又は帯状部材５０の長手方向にみた端縁からその長手方向に形成される。これにより、帯部材２０又は帯状部材５０の端縁部に複数の短冊状片６０が形成される。短冊状片６０は先端と反対側の端では帯部材２０又は帯状部材５０と連接状態にある。図１２（ｂ）に示すように、短冊状片６０のうちの一方と、他方とにより、側壁８の内側と外側から側壁８を挟持して係合部１５ｂが構成される。
【００３５】
その他、本発明は、主旨を逸脱しない範囲で当業者の知識に基づき種々なる改良、修正、変更を加えた態様で実施できるものである。例えば、渦巻線香の中央部を下方から支える支持部が３本の帯部材あるいは棒状部材で支えられてえてもよい。
【図面の簡単な説明】
【００３６】
【図１】本発明の組立て式渦巻線香保持台の構成を示す斜視図である。
【図２】本発明の組立て式渦巻線香保持台に用いられる帯部材２０の構造を示し、図２（ａ）は側面、図２（ｂ）は正面図である。
【図３】本発明の組立て式渦巻線香保持台における支持部の態様の図１とは異なる態様の一例を示す斜視模式図である。
【図４】本発明の組立て式渦巻線香保持台の他の態様の構成の一例を示す縦断面模式図である。
【図５】図４に示す組立て式渦巻線香保持台に用いられる線香係留パーツを受皿容器４に収納した状態を示す平面図である。
【図６】本発明の組立て式渦巻線香保持台の更に他の態様の構成の一例を示す縦断面模式図である。
【図７】本発明の組立て式渦巻線香保持台に用いられる線香係留パーツを形成できる２連帯部材の態様の一例を示し、図７（ａ）は平面図、図７（ｂ）は側面図である。
【図８】図７に示す２連帯部材から形成され、本発明の組立て式渦巻線香保持台に用いられる線香係留パーツの更に他の態様の一例を示す斜視図である。
【図９】本発明の組立て式渦巻線香保持台に用いられる線香係留パーツを形成できる２連帯部材の図７とは異なる態様の一例を示し、図９（ａ）は平面図、図９（ｂ）は側面図である。
【図１０】本発明の組立て式渦巻線香保持台における支持部の態様の他の一例を示し、図１０（ａ）は折り曲げ前の帯状部材の形状を示す部分正面図、図１０（ａ）は支持部の斜視図である。
【図１１】本発明の組立て式渦巻線香保持台における支持部の態様の更に他の一例を示し、図１１（ａ）は折り曲げ前の帯状部材の形状を示す部分正面図、図１１（ｂ）は支持部の斜視図である。
【図１２】本発明の組立て式渦巻線香保持台における係合部の他の態様の一例を示し、図１２（ａ）は折り曲げ前の帯部材又は帯状部材の形状を示す部分正面図、図１２（ａ）は係合部及び係合の態様を示す斜視図である。
【符号の説明】
【００３７】
２、２ａ、２ｂ：組立て式渦巻線香保持台
４：受皿容器
６、６ａ、６ｂ、６ｃ：線香係留パーツ
８：側壁
１０：渦巻線香
１２：底板
１４：係留部
１５、１５ａ：係合部
１６、１６ｂ、１６ｄ：支持部
１８、１８ａ：傾斜ガイド
２０、２０−１、２０−２、２０ａ、２０ｂ：帯部材
２２：先端部
２４、２４ａ：係合保持手段
２５：他端部
３０：基板
３２、４４：折り曲り部
３４：折り目
３６：切り目
４０、４０ａ：基板
４２：断熱板
５０、５０ｃ、５０ｄ：帯状部材
【図１】
2006020948.tif 000003
【図２】
2006020948.tif 000004
【図３】
2006020948.tif 000005
【図４】
2006020948.tif 000006
【図５】
2006020948.tif 000007
【図６】
2006020948.tif 000008
【図７】
2006020948.tif 000009
【図８】
2006020948.tif 000010
【図９】
2006020948.tif 000011
【図１０】
2006020948.tif 000012
【図１１】
2006020948.tif 000013
【図１２】
2006020948.tif 000014